(57)【特許請求の範囲】
【請求項１】
トレイ本体(1) の一側板部の外面に2個の係止突起(3a)、(3a)の先端内側に支え片部(3b)、(3b)を連設した引掛部(3) を突設し、また、該トレイ本体(1) の上部開口(1a)を閉塞する蓋体(4) に前記引掛部(3) に対応させて屈曲自在な基板部(6a)の先端に平行に張設した係止用鉤部(6b)、(6b)よりなる係止部(6) を設け、該係止部(6)の係止用鉤部(6b)、(6b)に外向きに張設した掛鉤部(7)、(7)の係合面(7a)の先端縁に突起部(7b)を突設し、前記蓋体(4)の係止部(6)の係止用鉤部(6b)、(6b)を前記トレイ本体(1)の引掛部(3)の上方から該引掛部(3)に押し込み挿入して、係止用鉤部(6b)、(6b)に外向きに張設した掛鉤部(7)、(7)の係合面(7a)、(7a)を係止突起(3a)、(3a)の下端面に当接させるとともに突起部(7b)、(7b)を係止突起(3a)、(3a)の外側面に係止させて蓋体(4)をトレイ本体(1)に起伏自在に取り付けたことを特徴とする光接続箱の余長トレイ。
【請求項２】
トレイ本体(1) を複数段積層した場合に最下段及び中段となるトレイ本体(1) の上部開口(1a)を閉塞する蓋体(4) を上部に積層されるトレイ本体(1) の底板部(1b)からなるものとした請求項１に記載の光接続箱の余長トレイ。
【発明の詳細な説明】
【０００１】
【発明の属する技術分野】
本発明は、トレイ本体の上部開口を閉塞する蓋体を起伏自在にトレイ本体に取り付けた光接続箱の余長トレイに関するものである。
【０００２】
【従来の技術】
光接続箱の余長トレイは、トレイ本体の上部開口を閉塞する蓋体を開蓋時に離脱することの無いように蝶番によりトレイ本体に取り付けたものを普通とする。しかし、トレイ本体内に光ファイバーを引き込む際に蓋体を取り外して行うのが便宜な場合がある。そこで、蝶番を図８に示すように蓋体２１に設けた軸杆２２を偏平に形成し、トレイ本体２３に形成した軸管２４に切込２５を設けて、軸杆２２の偏平側が切込２５に臨んだ場合に着脱できるものとしている。ところが、この従来のものは蓋体２１の開閉の際に軸杆２２の偏平側が切込２５に臨んだ場合に不用意に外れる問題がある。
【０００３】
【発明が解決しようとする課題】
本発明は前記のような従来の問題を解決し、蓋体の閉塞状態時及び通常の蓋体の開閉時には蓋体が離脱することが無いが、蓋体をトレイ本体から分離したい場合には容易に取り外しができるうえ、その取り付けも容易な光接続箱の余長トレイを提供するためになされたものである。
【０００４】
【課題を解決するための手段】
前記の課題を解決するためになされた本発明は、トレイ本体の一側板部の外面に2個の係止突起の先端内側に支え片部を連設した引掛部を突設し、また、該トレイ本体の上部開口を閉塞する蓋体に前記引掛部に対応させて屈曲自在な基板部の先端に平行に張設した係止用鉤部よりなる係止部を設け、該係止部の係止用鉤部に外向きに張設した掛鉤部の係合面の先端縁に突起部を突設し、前記蓋体の係止部の係止用鉤部を前記トレイ本体の引掛部の上方から該引掛部に押し込み挿入して、係止用鉤部に外向きに張設した掛鉤部の係合面を係止突起の下端面に当接させるとともに突起部を係止突起の外側面に係止させて蓋体をトレイ本体に起伏自在に取り付けたことを特徴とするものである。また、トレイ本体を複数段積層した場合に最下段及び中段となるトレイ本体の上部開口を閉塞する蓋体を上部に積層されるトレイ本体の底板部からなるものとしてもよい。
【０００５】
【発明の実施の形態】
次に、本発明の好ましい実施の形態を図１から図７により説明する。
１は上部開口１ａを設けた合成樹脂製のトレイ本体であり、該トレイ本体１の一側板部２即ち後側板部２ａとこれに対向する他側板部２即ち前側板部２ｂの外面にはそれぞれ２個の係止突起３ａ、３ａの先端内側に支え片部３ｂ、３ｂを連設した引掛部３が一体に突設されている。なお、引掛部３の支え片部３ｂ、３ｂは連結一体としてもよい。また、この引掛部３は図示のものはそれぞれ２個づつ後側板部２ａと前側板部２ｂに両側に対称に配置されているが中央に１個、さらには３個以上を対称に配置してもよい。
【０００６】
４は前記トレイ本体１の上部開口１ａを閉塞する合成樹脂製の蓋体であり、該蓋体４の前記一側板部即ち後側板部２ａに対応する一側辺部５後側辺部５ａには前記引掛部３に対応させて屈曲自在な基端部６ａの先端に平行に張設した係止用鉤部６ｂ、６ｂからなる係止部６が、該係止用鉤部６ｂ、６ｂに外向きに張設した掛鉤部７、７の係合面７ａ、７ａの端縁に突起部７ｂ、７ｂを突設したものとして連設されている。また、該蓋体４の他方の辺部即ち前側辺部５ｂにも前記トレイ本体１の他側板部２即ち前側板部２ｂの引掛部３に対応させて屈曲自在な基端部８ａの先端に平行に張設した係止用鉤部８ｂ、８ｂからなる係止部８が連設されている。また、係止用鉤部８ｂ、８ｂの前面には摘み８ｃ、８ｃが設けられている。この摘み８ｃ、８ｃを設けた場合は係止部８に対応させた引掛部３は支え片部３ｂ、３ｂを分離した構成として摘み８ｃ、８ｃが支え片部３ｂ、３ｂの間から張出できるものとしておくことは勿論である。
【０００７】
なお、トレイ本体１を複数段積層して使用する場合には最上段となるトレイ本体１の上部開口１ａは蓋体４をもって閉塞されるが、最下段及び中段となるトレイ本体１の上部開口１ａは上部に積層されるトレイ本体１の底板部１ｂを蓋体４として閉塞されるので蓋体４となる底板部１ｂにも同様に係止部６及び係止部８が設けられている。
【０００８】
このように構成されたものは、蓋体４の係止部６を図３に示すように基端部６ａを直立した状態で係止用鉤部６ｂ、６ｂを前記トレイ本体１の後側板部２ｂの外面に突設した引掛部３の上方から該引掛部３に押し込み挿入する。これにより係止用鉤部６ｂ、６ｂはその先端の案内傾斜面６ｃ、６ｃを引掛部３の係止突起３ａ，３ａの内面に規制されて合成樹脂材のもつ弾性下に内側に狭められて係合面７ａ、７ａの突起部７ｂ、７ｂの上端面が係止突起３ａ、３ａの下端面と同一位置に達する。その後該係止用鉤部６ｂ、６ｂは係止突起３ａ、３ａの内面による規制を解除されて旧状に復帰して図４に示すように係合面７ａ、７ａは係止突起３ａ、３ａの下端面に臨む位置に入り込む、そこで蓋体４を引き上げるか、図５に示すようにトレイ本体１の上部開口１ａを閉塞するように蓋体４を伏倒させて基端部６ａを屈曲させれば係止用鉤部６ｂ、６ｂは引き上げられて係合面７ａ、７ａが係止突起３ａ、３ａの下端面に当接するとともに突起部７ｂ、７ｂが係止突起３ａ、３ａの外側面に係止して係止用鉤部６ｂ、６ｂの前面が引掛部３の支え片部３ｂ、３ｂに支えられることと相まって離脱する虞なく蝶番機能を発揮して蓋体４がトレイ本体１に起伏自在に取り付けられるととなる。
【０００９】
さらに、このようにトレイ本体１に取り付けた蓋体４を伏倒させてトレイ本体１の上部開口１ａを閉塞する場合には、図６に示すように該蓋体４の他方の辺部即ち前側辺部５ｂに連設した係止部８の基端部８ａを屈曲させたうえ係止用鉤部８ｂ、８ｂをトレイ本体１の前側板部２ｂの外面に突設した引掛部３の上方から該引掛部３の係止突起３ａ、３ａ間に挿入すれば係止用鉤部８ｂ、８ｂはその先端の案内傾斜面８ｃ、８ｃを係止突起３ａ、３ａの上端面に案内されて合成樹脂材のもつ弾性下に内側に狭められて係止用鉤部８ｂ、８ｂの係合面９、９の上端面が係止突起３ａ、３ａの下端面と同一位置に達したら該係止用鉤部８ｂ、８ｂは旧状に復帰して図７に示すように係合面９、９は係止突起３ａ、３ａの下端面に臨む位置に入り込み係合面９、９が係止突起３ａ、３ａの下端面に当接するとともに係止用鉤部８ｂ、８ｂの前面が引掛部３の支え片部３ｂ、３ｂに支えられて図７に示すように係止部８が引掛部３に挿入係止して蓋体４が開くことがないものである。また、係止部８を引掛部３から離脱させるには摘み８ｃ、８ｃを指で両側から挟んで該係止部８の係止用鉤部８ｂ、８ｂの先端を狭めて係合面９、９の上端面と係止突起３ａ、３ａの下端面との当接を解除して係止部８を上方に向けて引き抜けばよいものである。
【００１０】
また、トレイ本体内に光ファイバーを引き込む際等に蓋体を取り外して行うのが便宜な場合がに蓋体４をトレイ本体１から取り外すには、蓋体４の他方の辺部即ち前側辺部５ｂをトレイ本体１の前側板部２ｂから開放して起立させて係止部６の基端部６ａを直立した状態したうえ蓋体４をトレイ本体１の一側板部である後側板部２ａに沿ってトレイ本体１側に押し下げ、これに伴い押し下げられた前記係止部６の突起部７ｂ、７ｂが係止突起３ａ、３ａの外側面への係止が解除されたら係止用鉤部６ｂ、６ｂを内側に狭めて蓋体４を上方に引き上げれば、係止部６が引掛部３から離脱して蓋体４をトレイ本体１から取り外すことができるものである。従って、蓋体４をトレイ本体１からの取り外しは蓋体４を起立させたうえ係止部６を押し下げて突起部７ｂ、７ｂの係止突起３ａ、３ａの外側面への係止を解除して可能となるものであるから、蓋体４の開閉時に誤って外れる虞のないものである。
【００１１】
【発明の効果】
以上に説明したように、本発明の光接続箱の余長トレイは、蝶番機能を発揮して蓋体をトレイ本体に起伏自在に取り付ける係止部と引掛部を、蓋体を起立させたうえ係止部を押し下げて該係止部の突起部による係止突起の外側面への係止を解除して可能となるものであるから、蓋体の着脱が容易であると共に蓋体を開閉時に誤って外す虞のないものである。
従って、従来の光接続箱の余長トレイの問題点を解決したものとして業界にもたらす益大なものである。
【図面の簡単な説明】
【図１】本発明の実施の形態を分解して示す後側からの斜視図である。
【図２】本発明の実施の形態を分解して示す前側からの斜視図である。
【図３】本発明の実施の形態の要部を示す斜視図である。
【図４】本発明の実施の形態の要部を示す説明図であり、（Ａ）は正面図、（Ｂ）は側面図である。
【図５】本発明の実施の形態の要部を態様を異にして示す説明図であり、（Ａ）は正面図、（Ｂ）は側面図である。
【図６】本発明の実施の形態の要部を示す斜視図である。
【図７】本発明の実施の形態の要部を示す正面図である。
【図８】従来例の要部を示す断面図である。
【符号の説明】
１    トレイ本体
１ａ  上部開口
１ｂ  底板部
２    側板部
３    引掛部
３ａ  係止突起
３ｂ  支え片部
４    蓋体
６    係止部
６ａ  基端部
６ｂ  係止用鉤部
７    掛鉤部
７ａ  係合面
７ｂ  突起部
【図１】
0003953227.tif 000002
【図２】
0003953227.tif 000003
【図３】
0003953227.tif 000004
【図４】
0003953227.tif 000005
【図５】
0003953227.tif 000006
【図６】
0003953227.tif 000007
【図７】
0003953227.tif 000008
【図８】
0003953227.tif 000009